(57)【要約】【課題】安価で作成の手間が省け、かつ、良好な仕上げの期待できるフェイクスイーツ用のキットを提供することである。【解決手段】第１の所定形状を有し、平滑な平板からなる土台２と、土台２よりも小さく、かつ、土台２の表面３０Ｆの領域内に収まる第２の所定形状および大きさで、平滑な平板からなり土台２の上方に配置されるための上プレート１０とを備える、フェイクスイーツ用のキット。【選択図】図２
0003199171.tif 000002
【実用新案登録請求の範囲】
【請求項１】
フェイクスイーツを作成するためのキットであって、
第１の所定形状を有し、平滑な平板からなる土台と、
前記土台よりも小さく、かつ、前記土台の表面の領域内に収まる第２の所定形状および大きさで平滑な平板からなり前記土台の上方に配置されるための上プレートとを備える、フェイクスイーツ用のキット。
【請求項２】
前記土台は前記第１の所定形状を有する下プレートと、
前記下プレートの上に配置され前記第１の所定形状を有し、前記下プレートよりも薄い厚さで、かつ、表面に印刷が施されているフィルムとを備えることを特徴とする、請求項１に記載のフェイクスイーツ用のキット。
【請求項３】
前記上プレートおよび前記下プレートは平滑な平板からなる合成樹脂製のプレートであり、
前記フィルムは平滑で平らな合成樹脂製のフィルムであることを特徴とする、請求項２に記載のフェイクスイーツ用のキット。
【請求項４】
前記フィルムの裏面には粘着剤の層が積層され、前記フィルムは前記粘着剤の層を介して剥離紙に粘着されていることを特徴とする、請求項３に記載のフェイクスイーツ用のキット。
【考案の詳細な説明】
【技術分野】
【０００１】
本考案はフェイクスイーツ用のキットに関する。
【背景技術】
【０００２】
近時、フェイクスイーツと呼ばれる手芸品を作成する趣向が流行しつつある。フェイクスイーツとは本物のお菓子を模した手芸品である。かかるフェイクスイーツは土台の上にＵＶレジン（紫外線硬化性樹脂）や顔料等を盛ることで、ケーキに糖衣をかけたようなアイシングが施されたクッキー状ないしタルト状等の模型となる。
【先行技術文献】
【特許文献】
【０００３】
【特許文献１】ＪＰ２００９−１３６２４４Ａ
【考案の概要】
【考案が解決しようとする課題】
【０００４】
現在、ＵＶレジンを用いてアクセサリーを作成するためのキットは市販されている。しかし、かかるキットの土台は流し込むＵＶレジンを堰き止めるためのループ状の突条を有している。そのため、土台がコストアップする要因となる。
【０００５】
また、前記土台の上に載置するシート状物は作成者（消費者）がハサミ等で切り取るようになっている。そのため、作成に手間が掛かったり、仕上がり状態の低下を招く。
【０００６】
したがって、本考案の目的は、安価で作成の手間が省け、かつ、良好な仕上げの期待できるフェイクスイーツ用のキットを提供することである。
【課題を解決するための手段】
【０００７】
本考案はフェイクスイーツを作成するためのキットであって、
第１の所定形状を有し、平滑な平板からなる土台と、
前記土台よりも小さく、かつ、前記土台の表面の領域内に収まる第２の所定形状および大きさで平滑な平板からなり前記土台の上方に配置されるための上プレートとを備える。
【考案の効果】
【０００８】
本考案によれば、土台および上プレートが各々、所定形状を有しているから、切り取ったり、切り抜いたりする手間が省ける。
また、土台および上プレートは各々平滑な平板からなり、そのため、コストダウンを図り得る。
【０００９】
土台と上プレートが各々異なる大きさを有しており、上プレートの表面に表面張力で保持できるＵＶレジンの領域と、土台に表面張力で保持できるＵＶレジンの領域とが異なり、ケーキに糖衣をかけたようなツヤを有するアイシングクッキー風のフェイクスイーツを作成することが可能である。
【００１０】
本考案において、平滑な平板とは、表面が滑らかで、かつ、型成型されたループ状の突条を有していない板を意味するが、プレートの製造時にプレートを切り抜く際に生じるバリを有していてもよい。かかるバリはＵＶレジンを表面張力で保持する助けとなるであろう。
【００１１】
また、平滑な平板とは、不織布のような凹凸があり、そのため安定した表面張力を発揮しにくい素材を除外する趣旨である。
【図面の簡単な説明】
【００１２】
【図１】本考案に係るフェイクスイーツの仕上げの一例を示す斜視図である。
【図２】同フェイクスイーツを作成するためのキットを示す斜視図である。
【図３】同キットを示す斜視図である。
【図４】フェイクスイーツの製造方法を示す工程図である。
【図５】フェイクスイーツの他の例を示す平面図である。
【考案を実施するための形態】
【００１３】
好ましくは、前記土台は前記第１の所定形状を有する下プレートと、
前記下プレートの上に配置され前記第１の所定形状を有し、前記下プレートよりも薄い厚さで、かつ、表面に印刷が施されているフィルムとを備えることを特徴とする。
【００１４】
この場合、土台の表層となるフィルムは下プレートよりも薄く、そのため、表面に印刷を施し易い。したがって、アイシングクッキー風のフェイクスイーツを作成し易い。
【００１５】
好ましくは、前記上プレートおよび前記下プレートは平滑な平板からなる合成樹脂製のプレートであり、
前記フィルムは平滑で平らな合成樹脂製のフィルムであることを特徴とする。
【００１６】
合成樹脂製のフィルム上において、ＵＶレジンや顔料混じりのＵＶレジンは大きな表面張力を発揮し、盛り上がった状態で塗布できる。そのため、ループの突条を有していなくても、アイシングクッキー風のフェイクスイーツを作ることができる。
なお、「合成樹脂製」とは、熱可塑性等の樹脂成分を有するという意味で、任意の適宜の他の成分を含んでいてもよい。
【００１７】
好ましくは、前記フィルムの裏面には粘着剤の層が積層され、前記フィルムは前記粘着剤の層を介して剥離紙に粘着されていることを特徴とする。
【００１８】
この場合、裏面に粘着剤を有するフィルムは、剥離紙から剥がし下プレート上に容易に貼り付けることができる。したがって、フェイクスイーツの作成が更に容易になる。
【００１９】
１つの前記各実施態様または下記の実施例に関連して説明および／または図示した特徴は、１つまたはそれ以上の他の実施態様または他の実施例において同一または類似な形で、および／または他の実施態様または実施例の特徴と組み合わせて、または、その代わりに利用することができる。
【実施例】
【００２０】
本考案は、添付の図面を参考にした以下の好適な実施例の説明からより明瞭に理解されるであろう。添付図面において、複数の図面における同一の部品番号は、同一または相当部分を示す。
【００２１】
図１のフェイクスイーツＳは、後述する上プレート１０の表面において盛り上がった顔料Ｇを含むＵＶレジンＲで形成された第１部Ｓ１と、後述する土台２の上および第１部Ｓ１の上において盛り上がった第２部Ｓ２とが一体に形成され、菓子としてのアイシングクッキーのような外観を呈する。
【００２２】
図２に示すように、本実施例の場合、前記土台２は第１の所定形状を有する下プレート２０とフィルム３０とを備える。フィルム３０は前記下プレート２０の上に配置され前記第１の所定形状を有し、前記下プレート２０よりも薄い厚さで、かつ、表面３０Ｆに印刷が施されている。
【００２３】
前記上プレート１０および前記下プレート２０は平滑な平板からなる合成樹脂製や紙のプレートである。
前記フィルム３０は平滑で平らな合成樹脂製や紙のフィルムである。
前記フィルム３０の裏面には粘着剤３１（図２）の層が積層され、前記フィルム３０は前記粘着剤の３１層を介して図３の剥離紙３２に粘着されている。
【００２４】
図２の上プレート１０は前記土台２よりも小さく、かつ、前記土台２の表面の領域内に収まる第２の所定形状および大きさで、平滑な平板からなり、前記土台の上方に配置される。
【００２５】
つぎに、フェイクスイーツＳの作成方法の一例について説明する。
【００２６】
図３の剥離紙３２からフィルム３０を剥がし、図４Ａに示すように、前記下プレート２０上に貼って、図３の土台２を作成する。このときフィルム３０の裏面の粘着剤３１（図２）を介してフィルム３０が下プレート２０に粘着される。
なお、下プレート２０としてはアクリル板、ＰＥＴやＰＰなどの熱可塑性樹脂の他、厚紙などであってもよい。
【００２７】
ついで、図４Ｂの前記土台２の表面にＵＶレジンＲを塗布する。この際、ＵＶレジンＲは表面張力により土台２の表面から流れ落ち難い。前記塗布後、ＵＶレジンＲを硬化させる。
【００２８】
一方、図示しない顔料Ｇを混ぜたＵＶレジンＲを図４Ｃの上プレート１０の表面に盛り上がるように塗布する。この塗布後、前記顔料Ｇ入りのＵＶレジンＲを硬化させることで、図４Ｄの第１部Ｓ１が生成される。
【００２９】
前記硬化後、図４Ｅの前記第１部Ｓ１の表面にＵＶレジンＲを塗布して再び硬化させる。  
【００３０】
他方、前記図４Ｂで作成した土台２の表面に図４ＦのＵＶレジンＲを更に塗布し、図４Ｇのように、その上に前記図４Ｅで作成した第１部Ｓ１を載置し、前記ＵＶレジンＲを硬化させる。
【００３１】
その後、図４Ｈのようにトッピング（飾りのシール）Ｔ１を第１部Ｓ１に貼り、土台２および第１部Ｓ１の全体に、図４Ｉのように、ＵＶレジンＲを塗布する。更に、好みに応じて例えば玉状のトッピングＴ２を載せ、前記ＵＶレジンを硬化させることでフェイクスイーツＳが完成する。
【００３２】
なお、フェイクスイーツＳの形態としては図５に示す種々の形状を採用し得る。
【産業上の利用可能性】
【００３３】
本考案はフェイクスイーツを作成するためのキットとして利用できる。
【符号の説明】
【００３４】
２：土台  １０：上プレート  ２０：下プレート
３０：フィルム  ３０Ｆ：表面  ３１：粘着剤（図２）  ３２：剥離紙
Ｓ：フェイクスイーツ  Ｓ１：第１部  Ｓ２：第２部
Ｇ：顔料  Ｒ：ＵＶレジン  Ｔ１，Ｔ２，Ｔ：トッピング
【図１】
0003199171.tif 000003
【図２】
0003199171.tif 000004
【図３】
0003199171.tif 000005
【図４】
0003199171.tif 000006
【図５】
0003199171.tif 000007